(57)【特許請求の範囲】
【請求項１】
竿体における、筒状リールシートのリール脚取付部とは反対側に位置する周面に、竿体の内部空間に通じる開口を形成するとともに、前記リールシートの軟質弾性材製の指当て部で前記開口を被覆してある釣り竿。
【請求項２】
前記指当て部をその指当て部の内面が前記開口縁に接触する部位で前記竿体に接着固定してある請求項１記載の釣り竿。
【発明の詳細な説明】
【技術分野】
【０００１】
本発明は、元竿等にリールシートを有している釣り竿に関する。
【背景技術】
【０００２】
釣り人は、リールシートのリール脚取付部とは反対側の面に手の掌を載置し、手指をリール脚取付部に回し、中指と薬指との間にリール脚を挟み込んでリールシートを握り込む。その握り込んだ状態で竿を振って仕掛けをキャストしたり、魚を取り込んだりする。
そして、このキャスト時等において手指に係る圧迫感等を軽減する目的で、リールシートにおけるリール脚取付部とは反対側の面に、軟質弾性材製の指当て部を設けるものがあった（特許文献１参照）。
【０００３】
【特許文献１】特開２０００−２３５９９号公報（公報段落番号〔００１０〕、図２）
【発明の開示】
【発明が解決しようとする課題】
【０００４】
上記した指当て部は、リールシートの一部を構成するものであり、弾性材自体の変形力で手指への圧迫感を緩和するものであった。
しかし、頻繁に仕掛けのキャストを繰り返し、魚を誘う釣り操作では長時間に亘ると手の親指や掌に圧迫感が残ることになり、更なる改善が必要であった。
そこで、図６に示すように、直接竿体としての元竿１の外周面に指当て部２Ｄを取り付け、指当て部２Ｄの内部に中空空間ａを有するものに構成することも考えられる。このような構成によって、指当て部２Ｄ自体の変形力だけでなく、中空空間ａでの変形力も期待でき、圧迫感の軽減に寄与するものと期待される。
しかし、中空空間ａが密閉空間となるために、塗料等が蒸れて剥離等が起こり易く、十分な対応策ではなかった。
【０００５】
本発明の目的は、リールシートを取り付けている竿体自体に改造を施すことによって、握り易く操作が行い易い釣り竿を提供する点にある。
【課題を解決するための手段】
【０００６】
〔構成〕
請求項１に係る発明の特徴構成は、竿体における、筒状リールシートのリール脚取付部とは反対側に位置する周面に、竿体の内部空間に通じる開口を形成するとともに、前記リールシートの軟質弾性材製の指当て部で前記開口を被覆してある点にあり、その作用効果は次の通りである。
【０００７】
〔作用〕
指当て部が開口を通して竿体の内部空間と連通することとなるので、指当て部自体の弾性変形力は勿論、開口によってより変形しやすくなっており、手指や掌への圧迫感を軽減できる。
しかも、手指の先端部分を巻回しているリール取付部においては、指当て部部分より硬質体でありしっかりした構成を採っているので、強く握ることによっても変形することは少なく、力を込めた安定した握りを確保できる。
一方、指当て部の内側は竿体に形成した開口を通して竿体の外部と連通する状態であるので、塗料の蒸れ等は起こり難い。
【０００８】
〔効果〕
したがって、塗料の蒸れ等が起こり難く、弾力性の高い圧迫感を与え難いリールシートを提供できるに至った。
【０００９】
請求項２に係る発明の特徴構成は、請求項１に係る発明において、前記指当て部をその指当て部の内面が前記開口縁に接触する部位で前記竿体に接着固定してある点にあり、その作用効果は次の通りである。
【００１０】
〔作用効果〕
指当て部を開口縁に接着固定しても、開口を通して竿外と連通する状態は維持でき、かつ、指当て部の外面から開口を通して竿体内部空間に侵入する海水等を阻止することができる。
【発明を実施するための最良の形態】
【００１１】
釣り竿Ａの握り部構造について説明する。
図１に示すように、元竿１に筒状のリールシート２を外嵌固定して釣り竿Ａを構成してある。元竿１は、中間部分に大径のリールシート装着部１Ａを形成してあり、その大径のリールシート装着部１Ａに筒状のリールシート２を外嵌固定してある。
【００１２】
元竿１は、基本的には、ガラス繊維かカーボン繊維等の強化繊維にエポキシ等の熱硬化性樹脂を含浸させて形成したプリプレグをマンドレルに巻回して筒状に形成した竿素材を焼成して形成されている。
【００１３】
リールシート２の構成について説明する。
リールシート２は、ポリエチレン・テレフタレート（ＰＥＴ）やＡＢＳ樹脂等の硬質エンジニアリング樹脂を材料として、インジェクション製法によって成型されている。リール脚を取り付ける表側には、固定フード２Ａがシートベース２Ｂと一体形成されており、シートベース２Ｂにおける竿尻側には金属製の可動フード２Ｃが竿芯方向にスライド移動自在に装着されている。
【００１４】
シートベース２Ｂの竿尻端においては、元竿１の外周面とシートベース２Ｂの竿尻端側端面との段差ｂを樹脂塗料を使用して埋めることによって、筒状リールシート２を受止固定する構成を採っている。
固定フード２Ａと可動フード２Ｃとでリール脚取付部を構成する。
【００１５】
リールシート２における前記リール脚取付部より１８０°反対側の背面側には、内部空間に通じる大きな肉盗み部が形成されており、この肉盗み部に軟質弾性材製の指当て部２Ｄを嵌め込み固定してある。
指当て部２Ｄの材質としては、ＮＢＲ等のゴム材、発泡ポリエチレン等の発泡材、ナイロン等の軟質樹脂材、ネオプレン等を材料としてインジェクション成型したエラストマーを使用可能である。
【００１６】
一方、図１及び図２に示すように、元竿１には、内部空間Ｂと連通する開口１Ｂが形成されている。この開口１Ｂは、竿軸線方向に長軸を採った長孔状のものであるが、長軸方向の開口幅は指当て部２Ｄの長軸方向の長さより短く、かつ、竿周方向に沿った横幅は指当て部２Ｄの横幅より狭くなっている。
図３に示すように、指当て部２Ｄと開口１Ｂとの上記したような大きさ関係によって、開口１Ｂよりはみ出した指当て部２Ｄの部分を、開口１Ｂを囲む縁部に接着することによって、指当て部２Ｄで開口１Ｂを密閉することができる。
【００１７】
以上のように、開口１Ｂを元竿１に形成することによって、指当て部２Ｄにおいて密閉内部空間を必要とせず、かつ、開口１Ｂによって撓み変形が規制されないため、弾性変形力が大きくなり、手指や掌に対する圧迫力を緩和できる。
【００１８】
尚、指当て部２Ｄとして次ぎのような構成を採ってもよい。
指当て部２Ｄの外周面には、「シボ」や「梨地」処理を行って、美観と滑り止め機能を持たせるようにしてある。ゴム製の指当て部２Ｄの側面視では、図１に示すように、後端部から前端部に掛けて徐々に外向きに膨出する形状にして、リールシート２を握る親指と人指し指とを膨出する前端部で受け止める構成を採っている。
【００１９】
〔別実施の形態〕
（１）  元竿１に形成する開口１Ｂとしては、図４に示すように、長軸方向を円周方向に沿った長孔状に形成してもよい。また、図示してはいないが、円形状の開口を竿軸芯方向に複数個配置してもよい。図５に示すように、長軸方向を竿軸芯方向で円周方向幅が短い長孔状のものを複数個円周方向に配置してもよい。この他に、開口１Ｂとしては、小円形状のものを多数散点状に配置するものであってもよい。
（２）  軟質弾性材としては、エラストマー以外に布や糸を織ったもので形成してもよい。
【図面の簡単な説明】
【００２０】
【図１】元竿に、指当て部を備えたリールシートを装着した状態を示す縦断側面図
【図２】図１における縦断正面図
【図３】指当て部と開口との位置関係を示す平面図
【図４】開口の別実施構造を示す平面図
【図５】開口の別実施構造を示す平面図
【図６】指当て部に中空空間を形成したものを示す縦断側面図
【符号の説明】
【００２１】
１            元竿
１Ｂ          開口
２            リールシート
２Ｄ          指当て部
Ｂ            内部空間
【図１】
0004986818.tif 000002
【図２】
0004986818.tif 000003
【図３】
0004986818.tif 000004
【図４】
0004986818.tif 000005
【図５】
0004986818.tif 000006
【図６】
0004986818.tif 000007